(57)【要約】【課題】断層画像の撮影に役立つ表示を行うことができる医療用観察装置および医療用用画像処理プログラムを提供する。【解決手段】光断層像撮影装置１は、手術顕微鏡３８によって撮影される被検体内部の第一画像４０１を取得する。また、被験体内部に挿入されるプローブ５３，８０から測定光を照射すると共に測定光の反射光と参照光との干渉光を検出器にて受光する測定部１０に測定光を走査させる目標位置であって、手術顕微鏡３８によって撮影される被検体の組織上の目標位置に関する目標位置情報を取得する。更に、第一画像４０１を表示装置に表示すると共に、目標位置を表す目標位置グラフィック４０３を、目標位置情報に基づいて第一画像４０１上に合成表示する。【選択図】図９
2014207976.tif 000002
【特許請求の範囲】
【請求項１】
被検体内部の正面画像を撮影可能な医療用画像機器によって撮影される被検体内部の第一画像を取得する第一画像取得手段と、
被験体内部に挿入されるプローブから測定光を照射すると共に前記測定光の反射光と参照光との干渉光を検出器にて受光する光断層干渉計に前記測定光を走査させる目標位置であって、前記医療用画像機器によって撮影される被検体の組織上の目標位置に関する目標位置情報を取得する目標位置情報取得手段と、
前記第一画像取得手段によって取得される前記第一画像を表示装置に表示すると共に、前記目標位置を表す目標位置グラフィックを、前記目標位置情報取得手段によって取得された目標位置情報に基づいて前記第一画像上に合成表示する表示制御手段と、を備えることを特徴とする医療用観察装置。
【請求項２】
前記目標位置情報取得手段は、過去に撮影された被検体内部の第二画像であって、画像中に光断層干渉計の測定光の走査位置が示された第二画像を解析することによって、前記走査位置の位置情報を目標位置情報として取得することを特徴とする請求項１記載の医療用観察装置。
【請求項３】
前記目標位置情報取得手段は、前記第二画像として、過去に断層画像が撮影されたときの前記走査位置が示された画像を取得し、
前記表示制御手段は、過去に断層画像が撮影されたときの走査位置を表すグラフィックを前記目標位置グラフィックとして前記第一画像上に合成表示することを特徴とする請求項２記載の医療用観察装置。
【請求項４】
前記目標位置情報取得手段は、過去に断層画像が撮影されたときのエイミング光の反射像であって前記第二画像に含まれる反射像を解析することによって前記走査位置情報を求めることを特徴とする請求項３記載の医療用観察装置。
【請求項５】
前記医療用画像機器による被検体の観察中に前記光断層干渉計による測定光の走査に基づいて撮影された第一断層画像を取得する第一断層画像取得手段と、
前記目標位置グラフィックが表す走査位置にて過去に撮影された第二断層画像を取得する第二断層画像取得手段を有し、
前記表示制御手段は、前記第一断層画像取得手段によって取得された第一断層画像と前記第二断層画像取得手段によって取得された第二断層画像と、を表示装置の画面上に並べて表示することを特徴とする請求項３又は４に記載の医療用観察装置。
【請求項６】
前記第一画像取得手段は、前記医療用画像機器によって観察されるライブ画像を第一画像として取得し、
前記表示制御手段は、前記目標位置グラフィックを前記第一画像取得手段によって取得されるライブ画像上に合成表示することを特徴とする請求項１から５の何れかに記載の医療用観察科装置。
【請求項７】
前記第一画像取得手段は、少なくとも前記光断層干渉計によって測定光が走査されるときのライブ画像を第一画像として取得し、
前記医療用観察装置は、前記第一画像取得手段によって取得されるライブ画像を解析することによって、被検体において前記光断層干渉計からの測定光が実際に走査された位置に関する実走査位置情報を得る実走査位置情報取得手段を有し、
前記表示制御手段は、被検体における前記測定光の軌跡を表す実走査位置グラフィックを前記実走査位置情報取得手段によって得られた実走査位置情報に基づいて前記第一画像上に合成表示することを特徴とする請求項１から５の何れかに記載の医療用観察装置。
【請求項８】
前記表示制御手段は、前記目標位置グラフィックと前記実走査位置グラフィックとを同時に表示することを特徴とする請求項７記載の医療用観察装置。
【請求項９】
前記実走査位置情報取得手段は、前記ライブ画像に含まれる前記光断層干渉計からのエイミング光の反射像を解析することによって前記走査位置情報を求めることを特徴とする請求項７又は８記載の医療用観察装置。
【請求項１０】
前記表示制御手段は、前記目標位置グラフィックを前記光断層干渉計から照射されるエイミング光とは異なる色で表示させることを特徴とする請求項１から６の何れかに記載の医療用観察装置。
【請求項１１】
医療用観察装置のプロセッサに実行されることによって、
被検体内部の正面画像を撮影可能な医療用画像機器によって撮影される被検体内部の第一画像を取得する第一画像取得ステップと、
被験体内部に挿入されるプローブから測定光を照射すると共に前記測定光の反射光を受光する光断層干渉計に前記測定光を走査させる目標位置であって、前記医療用画像機器によって撮影される被検体の組織上の目標位置に関する目標位置情報を取得する目標位置情報取得ステップと、
第一画像取得ステップによって取得される前記第一画像を表示装置に表示すると共に、前記目標位置を表す目標位置グラフィックを、前記目標位置情報取得ステップによって取得された目標位置情報に基づいて前記第一画像上に合成表示する表示制御ステップと、を医療用観察装置に実行させることを特徴とする医療用画像処理プログラム。
【請求項１２】
被検体内部に挿入されるプローブの先端部から照射される測定光による被検体からの反射光と、参照光とが合成された干渉光を受光する検出器からの信号に基づく断層画像のライブ画像を取得する断層画像取得手段と、
被検体内部の正面画像を撮影可能な医療用画像機器によって事前に撮影された被検体内部の血管造影画像を取得する血管造影画像取得手段と、
前記断層画像取得手段によって取得される断層画像のライブ画像、および前記血管造影画像取得手段によって取得される血管造影画像を、表示部の画面上にて並べて表示する表示制御手段と、を備えることを特徴とする医療用観察装置。
【発明の詳細な説明】
【技術分野】
【０００１】
本発明は、医療用観察装置および医療用画像処理プログラムに関する。
【背景技術】
【０００２】
従来、被検体の組織の断層画像を撮影することができる装置として、光断層干渉計（Ｏｐｔｉｃａｌ  Ｃｏｈｅｒｅｎｃｅ  Ｔｏｍｏｇｒａｐｈｙ：ＯＣＴ）を用いた装置が知られている。ＯＣＴを用いた装置は、光源から出射された光を測定光と参照光に分割し、分割した測定光を被検体の組織に照射する。また、装置は、組織によって反射された測定光を参照光と合成し、合成した光の干渉信号から、被検体の組織の深さ方向の情報を取得する。装置は、深さ方向の情報を用いて断層画像を生成する。
【０００３】
また、被検体の内部に挿入可能なプローブの先端から測定光を照射することで、被検体の断層画像を撮影する装置も提案されている（非特許文献１参照）。被検体上における断層画像の撮影位置の位置決めは、プローブの先端部を撮影者等が手動で動かすことによって行われる。
【先行技術文献】
【非特許文献】
【０００４】
【非特許文献１】Ｋａｎｇ  Ｚｈａｎｇ，Ｐｅｔｅｒ  Ｇｅｈｌｂａｃｈ，Ｊｉｎ  Ｕ．Ｋａｎｇ“Ａ  ｃｏｍｍｏｎ−ｐａｔｈ  ｏｐｔｉｃａｌ  ｃｏｈｅｒｅｎｃｅ  ｔｏｍｏｇｒａｐｈｙ  ｄｉｓｔａｎｃｅ−ｓｅｎｓｏｒ  ｂａｓｅｄ  ｓｕｒｆａｃｅ  ｔｒａｃｋｉｎｇ  ａｎｄ  ｍｏｔｉｏｎ  ｃｏｍｐｅｎｓａｔｉｏｎ  ｈａｎｄ−ｈｅｌｄ  ｍｉｃｒｏｓｕｒｇｉｃａｌ  ｔｏｏｌ”Ｐｒｏｃ．  ｏｆ  ＳＰＩＥ  Ｖｏｌ．  ７８９４  ７８９４０Ｇ−１，２０１１
【発明の概要】
【発明が解決しようとする課題】
【０００５】
ところで、断層画像の撮影を予め決めておいた撮影位置で行いたい場合がある。しかし、手術顕微鏡および内視鏡等の装置で表示される被検体の部位を見て、或いは被検体の部位を目視で見ただけでは、撮影者等は、プローブの先端部を適正な位置に置いて撮影することが難しく、また、適正に撮影されているか否かを把握することも困難であった。
【０００６】
本発明は、上記従来技術の問題点を解決するためになされたものであり、断層画像の撮影に役立つ表示を行う医療用観察装置および医療用画像処理プログラムを提供することを目的とする。
【課題を解決するための手段】
【０００７】
本発明の第一態様に係る医療用観察装置は、被検体内部の正面画像を撮影可能な医療用画像機器によって撮影される被検体内部の第一画像を取得する第一画像取得手段と、被験体内部に挿入されるプローブから測定光を照射すると共に前記測定光の反射光と参照光との干渉光を検出器にて受光する光断層干渉計に前記測定光を走査させる目標位置であって、前記医療用画像機器によって撮影される被検体の組織上の目標位置に関する目標位置情報を取得する目標位置情報取得手段と、前記第一画像取得手段によって取得される前記第一画像を表示装置に表示すると共に、前記目標位置を表す目標位置グラフィックを、前記目標位置情報取得手段によって取得された目標位置情報に基づいて前記第一画像上に合成表示する表示制御手段と、を備える。
【０００８】
また、本発明の第二態様に係る医療用画像処理プログラムは、医療用観察装置のプロセッサに実行されることによって、被検体内部の正面画像を撮影可能な医療用画像機器によって撮影される被検体内部の第一画像を取得する第一画像取得ステップと、被験体内部に挿入されるプローブから測定光を照射すると共に前記測定光の反射光を受光する光断層干渉計に前記測定光を走査させる目標位置であって、前記医療用画像機器によって撮影される被検体の組織上の目標位置に関する目標位置情報を取得する目標位置情報取得ステップと、第一画像取得ステップによって取得される前記第一画像を表示装置に表示すると共に、前記目標位置を表す目標位置グラフィックを、前記目標位置情報取得ステップによって取得された目標位置情報に基づいて前記第一画像上に合成表示する表示制御ステップと、を医療用観察装置に実行させる。
【０００９】
また、本発明の第三態様に係る医療用画像処理装置は、被検体内部に挿入されるプローブの先端部から照射される測定光による被検体からの反射光と、参照光とが合成された干渉光を受光する検出器からの信号に基づく断層画像のライブ画像を取得する断層画像取得手段と、被検体内部の正面画像を撮影可能な医療用画像機器によって事前に撮影された被検体内部の血管造影画像を取得する血管造影画像取得手段と、前記断層画像取得手段によって取得される断層画像のライブ画像、および前記血管造影画像取得手段によって取得される血管造影画像を、表示部の画面上にて並べて表示する表示制御手段と、を備える。
【発明の効果】
【００１０】
本発明によれば、断層画像の撮影に役立つ表示を行うことができる。
【図面の簡単な説明】
【００１１】
【図１】光断層像撮影装置１と周辺機器の概略構成を示す図である。
【図２】非侵襲照射ユニット１７の概略構成を示す図である。
【図３】第一挿入型照射ユニット１８の概略構成を示す図である。
【図４】第二挿入型照射ユニット１９におけるフォワードイメージングプローブ８０の一部を示す拡大図である。
【図５】光断層像撮影装置１が実行するメイン処理のフローチャートである。
【図６】表示部３６における断層画像の表示態様の一例を示す図である。
【図７】第二実施形態における光断層像撮影装置１００と周辺機器の使用状態を示した図である。
【図８】第二実施形態において、表示部３６における断層画像の表示態様の一例を示す図である。
【図９】第三実施形態において、表示部３６における断層画像の表示態様の一例を示す図である。
【図１０】断層画像が撮影されているときの眼底の正面画像を示す図である。
【図１１】光断層画像装置３００が実行するメイン処理のフローチャートである。
【図１２】目標位置設定処理のフローチャートである。
【発明を実施するための形態】
【００１２】
以下、本発明の実施形態について、図面を参照して説明する。
【００１３】
＜第一実施形態＞
まず、図１を参照して、第一実施形態に係る光断層像撮影装置１の概略構成について説明する。光断層像撮影装置（光コヒーレンストモグラフィデバイス）１は、被検体の組織の断層画像を撮影する。本実施形態では、被検眼Ｅの内部組織（例えば、網膜Ｅｆ）の断層画像を撮影する眼科撮影装置を例示して説明を行う。しかし、本発明は、眼以外の被検体（例えば、内臓、耳等）の断層画像を撮影する装置にも適用できる。光断層像撮影装置１は、測定部１０と制御部３０を備える。
【００１４】
測定部１０は、光干渉断層計（ＯＣＴ：Ｏｐｔｉｃａｌ  Ｃｏｈｅｒｅｎｃｅ  Ｔｏｍｏｇｒａｐｈｙ）の構成を備える。本実施形態の測定部１０は、測定光源１１、カップラー１２、非侵襲用参照光学系１３、挿入時用参照光学系１４、参照光経路切換スイッチ１５、複数の照射ユニット１７〜１９、ユニット切換スイッチ２０、非侵襲用検出器２２、挿入時用検出器２３、および検出切換スイッチ２４を備える。なお、照射ユニット１７〜１９等の構成は、光断層像撮影装置１の本体の内部に組み込まれてもよいし、本体に装着されて使用されてもよい。
【００１５】
測定光源１１は、断層画像を取得するための光を出射する。一例として、本実施形態の光断層像撮影装置１は、出射するレーザ光の波長を高速で変化させることが可能な測定光源１１を備えることで、Ｓｗｅｐｔ−ｓｏｕｒｃｅ  ＯＣＴ（ＳＳ−ＯＣＴ）計測によって断層画像を取得する。本実施形態の測定光源１１は、レーザ媒体、共振器、および波長選択フィルタ等によって構成される。波長選択フィルタとして、例えば、回折格子とポリゴンミラーの組み合わせ、または、ファブリー・ペローエタロンを用いたフィルタ等を採用できる。
【００１６】
なお、光断層像撮影装置１は、エイミング光源（図示せず）を備える。エイミング光源は、測定光の照射位置を示すための可視光を発生させる。エイミング光源が発生させた光は、カップラー等によって、測定光源１１が発生させた光と合波される。
【００１７】
カップラー１２は、測定光源１１から出射された光を、測定光（試料光）と参照光に分割する。参照光は、非侵襲用参照光学系１３または挿入時用参照光学系１４に導波される。測定光は、複数の照射ユニット１７〜１９のいずれかに導波される。また、カップラー１２は、被検物によって反射された測定光（反射測定光）と、参照光学系１３，１４によって生成された参照光とを合成し、干渉光を生成する。カップラー１２によって生成された干渉光は、非侵襲用検出器２２または挿入時用検出器２３に導波される。
【００１８】
参照光学系１３，１４は、カップラー１２から導波された参照光を再びカップラー１２に戻す。参照光学系１３，１４は、マイケルソンタイプであってもよいし、マッハツェンダタイプであってもよい。本実施形態では、参照光学系１３，１４は、参照ミラー等を備えた反射光学系によって、カップラー１２から導かれた参照光を反射させて、カップラー１２に再び戻す。前述したように、カップラー１２に戻された参照光は、被検物による反射測定光と合成される。なお、参照光学系１３，１４の構成は変更できる。例えば、参照光学系１３，１４は、カップラー１２から導かれた参照光を反射させずに、光ファイバー等の透過光学系によってカップラー１２に透過させてもよい。
【００１９】
本実施形態では、２つの参照光学系（非侵襲用参照光学系１３および挿入時用参照光学系１４）が設けられている。非侵襲用参照光学系１３は、非侵襲照射ユニット１７によって断層画像が撮影される場合に適合するように、光路長等が設計されている。挿入時用参照光学系１４は、第一挿入型照射ユニット１８および第二挿入型照射ユニット１９によって断層画像が撮影される場合に適合するように設計されている。
【００２０】
参照光経路切換スイッチ１５は、参照光学系１３，１４とカップラー１２を接続する経路（光路）に設けられている。参照光経路切換スイッチ１５は、２つの参照光学系１３，１４の一方をカップラー１２に接続し、接続した参照光学系に参照光を導波させる。つまり、参照光経路切換スイッチ１５は、２つの参照光学系１３，１４の各々に延びる参照光の経路のうち、カップラー１２によって分割された参照光を実際に導波する経路を切り換える。参照光は、参照光経路切換スイッチ１５によって接続された参照光学系に入射し、入射時に通過した経路と同一の経路を経てカップラー１２に戻る。
【００２１】
なお、１つの参照光学系を使用して、複数の照射ユニット１７〜１９の各々による断層画像の撮影を行う場合もある。この場合には、参照光経路切換スイッチ１５は省略することができる。また、複数の参照光学系を使用する場合、使用する参照光学系の数が２つに限られないことは言うまでも無い。
【００２２】
複数の照射ユニット１７〜１９の各々は、カップラー１２によって分割された測定光を、被検体の組織に照射する。詳細は後述するが、非侵襲照射ユニット１７は、被検体である眼Ｅの外部から角膜を透過させて、内部の組織へ測定光を照射する。第一挿入型照射ユニット１８は、ニードル５６（図３参照）の周方向に位置する組織の断層画像を撮影するために使用される。第二挿入型照射ユニット１９は、ニードル８２（図４参照）の先端方向に位置する組織の断層画像を撮影するために使用される。
【００２３】
ユニット切換スイッチ２０は、照射ユニット１７〜１９とカップラー１２を接続する経路（光路）に設けられている。本実施形態のユニット切換スイッチ２０は、３つの照射ユニット１７〜１９のいずれか１つをカップラー１２に接続し、接続した照射ユニットに測定光を導波させる。つまり、ユニット切換スイッチ２０は、複数の照射ユニット１７〜１９のうち、測定光源１１から出射された測定光を導波する照射ユニットを切り換える。測定光は、ユニット切換スイッチ２０によって接続された照射ユニットに入射し、入射した照射ユニットから組織へ照射される。組織によって反射された測定光は、照射ユニットへの入射時に通過した光路と同一の光路を経てカップラー１２に戻る。
【００２４】
検出器２２，２３は、反射測定光と参照光の干渉状態を検出する。換言すると、検出器２２，２３は、カップラー１２によって生成された干渉光の干渉信号を検出する。より詳細には、フーリエドメインＯＣＴの場合には、干渉光のスペクトル強度が検出器２２，２３によって検出される。後述するＣＰＵ３１は、検出されたスペクトル強度に対するフーリエ変換によって、所定範囲における深さプロファイル（Ａスキャン信号）を取得する。前述したように、本実施形態の光断層像撮影装置１には、ＳＳ−ＯＣＴが採用されている。しかし、光断層像撮影装置１には、種々のＯＣＴを採用できる。例えば、Ｓｐｅｃｔｒａｌ−ｄｏｍａｉｎ  ＯＣＴ（ＳＤ−ＯＣＴ）、Ｔｉｍｅ−ｄｏｍａｉｎ  ＯＣＴ（ＴＤ−ＯＣＴ）等のいずれを光断層像撮影装置１に採用してもよい。ＳＳ−ＯＣＴを採用する場合、複数の受光素子を有する平衡検出器を検出器２２，２３として採用するのが望ましい。平衡検出器を用いる場合、光断層像撮影装置１は、複数の受光素子からの干渉信号の差分を得て、干渉信号に含まれる不要なノイズを削減することができる。その結果、断層画像の品質が向上する。
【００２５】
本実施形態では、２つの検出器（非侵襲用検出器２２および挿入時用検出器２３）が設けられている。非侵襲用検出器２２は、非侵襲照射ユニット１７によって断層画像が撮影される場合に適合するように設計されている。挿入時用検出器２３は、第一挿入型照射ユニット１８および第二挿入型照射ユニット１９によって断層画像が撮影される場合に適合するように設計されている。
【００２６】
検出切換スイッチ２４は、検出器２２，２３とカップラー１２を接続する光路に設けられている。検出切換スイッチ２４は、２つの検出器２２，２３の一方をカップラー１２に接続し、接続した検出器に干渉光を導波させる。つまり、検出切換スイッチ２４は、カップラー１２によって生成された干渉光を入射させる検出器を切り換える。
【００２７】
なお、１つの検出器を使用して、複数の照射ユニット１７〜１９の各々による断層画像の撮影を行う場合もある。この場合には、検出切換スイッチ２４は省略することができる。また、複数の検出器を使用する場合、使用する検出器の数が２つに限られないことは言うまでも無い。例えば、第一挿入型照射ユニット１８による撮影に適合する検出器と、第二挿入型照射ユニット１９による撮影に適合する検出器とを、別々に設けてもよい。
【００２８】
測定部１０は、測定光と参照光の光路長差を変更する構成を有する。本実施形態の測定部１０は、参照光学系１３，１４が備える光学部材（例えば、参照ミラー）を光軸方向に移動させることで、光路長差を変更する。ただし、光路長差を変更するための構成は、測定光の光路中に配置されてもよい。また、光断層像撮影装置１は、測定光のフォーカス調整を行うための光学系等の種々の構成をさらに備えるが、これらの詳細な説明は省略する。
【００２９】
本実施形態では、参照光経路切換スイッチ１５、ユニット切換スイッチ２０、および検出切換スイッチ２４には、光束の経路を変更する光スイッチが用いられている。光スイッチには、種々の構成のいずれを採用してもよい。例えば、メカニカル方式の光スイッチ、ＭＥＭＳ光スイッチ、光導波路式光スイッチ等を採用することができる。メカニカル方式の光スイッチは、ミラーをアクチュエータで動かすことで光路を切り換える。ＭＥＭＳ光スイッチは、静電気を利用して光路を切り換える。光導波路式光スイッチでは、シリコンまたはポリマー樹脂等の基板上に光導波路が形成されており、光導波路の両側に金属薄膜のヒータが配置されている。光導波路式光スイッチは、一方のヒータを加熱して導波路の左右に温度差を生じさせることで、光導波路における光屈折率を変化させて、光導波路中の光の伝播経路を切り換える。光スイッチを用いることで、光断層像撮影装置１は、作業者（例えば、術者、検者等）の用途に応じて容易に光束の経路を切り換えることができる。
【００３０】
制御部３０は、ＣＰＵ（プロセッサ）３１、ＲＡＭ３２、ＲＯＭ３３、および不揮発性メモリ３４等を備える。ＣＰＵ３１は、光断層像撮影装置１、および周辺機器の制御を司る。ＲＡＭ３２は、各種情報を一時的に記憶する。ＲＯＭ３３には、各種プログラム、初期値等が記憶されている。不揮発性メモリ３４は、電源の供給が遮断されても記憶内容を保持できる非一過性の記憶媒体である。例えば、ハードディスクドライブ、フラッシュＲＯＭ、および、光断層像撮影装置１に着脱可能に装着されるＵＳＢメモリ等を、不揮発性メモリ３４として使用することができる。不揮発性メモリ３４には、後述するメイン処理（図５参照）を制御するための撮影制御プログラムが記憶されている。また、不揮発性メモリ３４には、撮影された断層画像のデータ等の各種データが記憶される。
【００３１】
本実施形態では、測定部１０に接続されたパーソナルコンピュータ（以下、「ＰＣ」という。）が、制御部３０として用いられる。しかし、ＰＣを用いずに、測定部１０と制御部３０を１つのデバイスに一体化させてもよい。また、制御部３０は、複数の制御部（つまり、複数のプロセッサ）によって構成されてもよい。例えば、ＰＣに設けられた第一制御部と、測定部１０内に設けられた第二制御部とによって、光断層像撮影装置１の制御部３０が構成されてもよい。この場合、例えば、ＰＣの第一制御部は、ＰＣに接続された操作部の操作に基づいて、撮影の開始および終了等を第二制御部に対して指示すればよい。第二制御部は、第一制御部からの指示に従って、測定光源１１、各種スイッチ１５，２０，２４等の動作を制御すればよい。また、干渉信号に基づく画像の生成処理等は、第一制御部および第二制御部のいずれで行ってもよい。
【００３２】
制御部３０には、表示部３６、操作部３７、および手術顕微鏡３８等の周辺機器が電気的に接続される。表示部３６には、光断層像撮影装置１によって撮影された断層画像等が表示される。表示部３６は、ＰＣのディスプレイであってもよいし、光断層像撮影装置１専用のディスプレイであってもよい。複数のディスプレイが併用されてもよい。操作部３７は、作業者による各種操作指示を光断層像撮影装置１に入力させるためのデバイスである。操作部３７には、例えば、マウス、ジョイスティック、キーボード、タッチパネル等の少なくともいずれかを用いればよい。手術顕微鏡３８は、第一挿入型照射ユニット１８または第二挿入型照射ユニット１９によって撮影が行われる場合に、被検体（本実施形態では被検眼Ｅ）の内部を拡大表示（本実施形態では撮影して拡大表示）する。作業者は、手術顕微鏡３８を覗き込みながらプローブ５３，８０（図３および図４参照）を操作し、手術、診断、またはこれらの訓練（本実施形態では、これらをまとめて「作業」という。）を行う。本実施形態では、制御部３０は、手術顕微鏡３８によって撮影された画像を取得し、表示部３６に表示させることができる。なお、手術顕微鏡３８を用いずに本発明を実現することも可能である。
【００３３】
図２を参照して、非侵襲照射ユニット１７について説明する。非侵襲照射ユニット１７は、カップラー１２およびユニット切換スイッチ２０によって導かれた測定光を、眼Ｅの角膜を通じて内部の組織（本実施形態では眼底Ｅｆ）に照射する。その結果、眼底Ｅｆの断層画像が非侵襲で撮影される。非侵襲照射ユニット１７は、測定光学系４０、観察光学系４７、および固視標投影ユニット４８を備える。
【００３４】
測定光学系４０は、瞳孔と略共役な位置に光スキャナ４１を備える。測定光学系４０は、駆動機構４２によって光スキャナ４１を駆動することで、ファイバの端部３９から出射される測定光を、眼底Ｅｆ上で二次元方向に走査させる。その結果、眼底Ｅｆ上における断層画像の撮影位置が決定される。光スキャナ４１で走査された測定光は、ダイクロイックミラー４３およびレンズ４４，４５を経て眼Ｅに照射される。
【００３５】
観察光学系４７は、眼底Ｅｆの正面画像を取得するために設けられている。本実施形態の観察光学系４７は、いわゆる眼科用走査型レーザ検眼鏡（ＳＬＯ）の構成を備える。より詳細には、観察光学系４７は、光スキャナおよび受光素子（図示せず）を備える。光スキャナは、光源から発せられた測定光（例えば、赤外光）をダイクロイックミラー４８に透過させて、眼底Ｅｆ上で二次元方向に走査させる。受光素子は、眼底Ｅｆと略共役な位置に配置された共焦点開口を介して、眼底Ｅｆによる測定光の反射光を受光する。
【００３６】
なお、観察光学系４７には、赤外光等を広範囲に照射して正面画像を取得する構成（いわゆる眼底カメラタイプの構成）を用いてもよい。また、光干渉断層計が観察光学系を兼用してもよい。つまり、光断層像撮影装置１は、断層画像を生成するために光干渉断層計（測定光源１１、カップラー１２、参照光学系１３，１４等）によって得られるデータを用いて、組織の正面画像を取得してもよい。例えば、光断層像撮影装置１は、三次元断層画像の深さ方向への積算画像、ＸＹ方向（眼Ｅの軸方向に垂直な平面上の二次元方向）の各位置でのスペクトルデータの積算値、一定の深さ方向におけるＸＹ方向の各位置での輝度データ、および、網膜表層画像等を用いて正面画像を取得してもよい。
【００３７】
固視標投影ユニット４９は、眼Ｅの視線方向を誘導するために設けられている。本実施形態では、固視標投影ユニット４９は、可視光を発生させる可視光源を有し、可視光源によって示される視標の呈示位置を変更する。その結果、被検眼Ｅの視線方向が変更されて、眼底Ｅｆの撮影部位が変更される。例えば、撮影光軸と同方向から固視標が呈示されると、眼底Ｅｆの中心部が撮影部位となる。撮影光軸に対して固視標が上方に呈示されると、眼底Ｅｆの上部が撮影部位となる。固視標投影ユニット４９には種々の構成を採用できる。例えば、マトリクス状に配列されたＬＥＤの点灯位置によって固視位置を調整する構成を採用できる。また、光スキャナを用いて可視光を走査させる構成を採用してもよい。固視標投影ユニット４９は、装置の内部から固視標を表示する内部固視灯タイプであってもよいし、装置の外部に固視標を表示する外部固視灯タイプであってもよい。
【００３８】
図３を参照して、第一挿入型照射ユニット１８について説明する。第一挿入型照射ユニット１８は、サイドイメージングプローブ５３のニードル５６の周方向に位置する組織の断層画像を撮影するために使用される。
【００３９】
サイドイメージングプローブ５３は、ファイバ５４、ハンドピース５５、およびニードル５６を備える。ファイバ５４は、測定部１０のカップラー１２から導かれた測定光を、ニードル５６の先端部まで導波する。ファイバ５４はトルクコイル（図示せず）によって被覆されており、ハンドピース５５に対して回転自在である。ハンドピース５５は、作業者（例えば、検者、術者等）によって把持される略筒状の部材である。ニードル５６は、ハンドピース５５の先端に設けられており、ハンドピース５５の外径よりも小さい外径を有する。ニードル５６の先端部は、被検体（本実施形態では被検眼Ｅ）の内部に挿入される。ファイバ５４は、ハンドピース５５の後端部に接続し、ニードル５６の先端部まで延びている。
【００４０】
第一挿入型照射ユニット１８は、装着部５０およびファイバ回転モータ５１を備える。装着部（例えばコネクタ）５０には、ファイバ５４の後端部（基端部）が着脱可能に装着される。ファイバ回転モータ５１は、ファイバ５４が装着された装着部５０を、ファイバ５４の軸を中心として回転させることができる。つまり、ファイバ回転モータ５１は、装着部５０を回転させることでファイバ５４を回転させて、測定光を走査させる。
【００４１】
サイドイメージングプローブ５３のニードル５６における先端部の構造について詳細に説明する。ニードル５６の先端部には、外筒６１、カバー６６、保持部６８、および集光部７１等が設けられている。
【００４２】
外筒６１は、ファイバ４の先端側の周囲（特に、保持部６８および集光部７１の周囲）を覆う。本実施形態では、外筒６１の形状は、先端に半球面状の閉塞部位を有する略筒状である。外筒６１は、測定光を遮光する材質によって形成されている。外筒６１のうち、軸線方向において集光部７１が位置する部位の近傍には、測定光の走査方向（軸周りの方向）に所定の幅を有する開口６２が形成されている。集光部７１から照射された光束は、開口６２から外部に透過される。
【００４３】
カバー６６は、測定光を透過する材質によって形成されており、外筒６１の外側を閉塞する。従って、カバー６６は、血液、硝子体の組織等が開口６２から外筒６１の内側に侵入することを防止しつつ、開口６２の領域の内側と外側の間における光の透過を許容する。
【００４４】
保持部６８は、外形略円柱状の部材であり、外筒６１に対して固定されている。保持部６８の軸心部分には、ファイバ５４を回転可能な状態で挿通する挿通孔６９が形成されている。保持部６８は、外筒６１に対するファイバ５４の軸の位置を一定にした状態で、ファイバ５４を回転可能に保持する。
【００４５】
集光部７１は、ファイバ５４の先端部に設けられている。集光部７１は、ファイバ５４の先端部から出射された光を偏向させると共に、被検体の組織に集光させる。また、集光部７１は、組織で反射された反射測定光を受光し、ファイバ５４に入射させる。本実施形態の集光部７１は、ファイバ５４の軸方向に対して約７０度の角度で光を偏向させるが、偏向の角度は適宜変更できる。なお、ファイバ５４のうち、保持部６８よりも後端側の部分の外周には、ファイバ５４のねじれ等を抑制するためのシャフト７３が設けられている。
【００４６】
図４を参照して、第二挿入型照射ユニット１９に含まれるフォワードイメージングプローブ８０について説明する。フォワードイメージングプローブ８０は、サイドイメージングプローブ５３と同様に、ファイバ８１、ハンドピース（図示せず）、およびニードル８２を備える。しかし、第二挿入型照射ユニット１９は、ファイバ８１を回転させて測定光を走査させるのではなく、ニードル８２に設けられた走査部８３によって測定光を走査させる。ファイバ８１は、図示しない装着部に着脱可能に装着される。
【００４７】
フォワードイメージングプローブ１９のニードル８２は、筒状の部材である。本実施形態のニードル８２は円筒状であるが、角筒状であってもよい。また、ニードル８２は直線状に延びていてもよいし、湾曲または屈曲していてもよい。ニードル８２の内部における先端部近傍には、コリメート部８４、反射ミラー８５、走査部８３、および対物レンズ８６が設けられている。コリメート部８４は、ファイバ８１の先端部に装着されており、ファイバ８１の先端から出射される測定光をコリメートする。反射ミラー８５は、コリメート部８４によってコリメートされた測定光を、走査部８３に向けて反射させる。走査部８３は、コリメート部８４から導かれた測定光を、ニードル８２の先端側で走査させる。走査部８３には、例えば、ガルバノミラー、音響光学素子（ＡＯＭ）等の種々の構成を用いることができる。対物レンズ８６は、走査部８３によって走査された測定光を集光する。なお、反射測定光は、対物レンズ８６、走査部８３、反射ミラー８５、およびコリメート部８４の順に光路を戻り、ファイバ８１へ入射する。
【００４８】
なお、プローブ５３，８０の構成は一例であり、構成を変更できることは勿論である。例えば、断層画像を撮影するための構成と共に、治療を行うための構成（例えば、鉗子等）が設けられたプローブを用いる場合でも、本発明は適用できる。
【００４９】
図５を参照して、光断層像撮影装置１が実行するメイン処理について説明する。本実施形態の光断層像撮影装置１は、反射測定光と参照光の干渉光から干渉信号を取得する。取得した干渉信号を処理することで、組織の断層画像を取得する。さらに、光断層像撮影装置１は、測定光を被検体に照射するための照射ユニットを切り換えることができる。従って、光断層像撮影装置１は、１つの測定光源１１から出射される光を用いて、複数の態様で断層画像を撮影することができる。制御部３０のＣＰＵ３１は、光断層像撮影装置１の電源がオンとされると、不揮発性メモリ３４に記憶された制御プログラムに従って、図５に示すメイン処理を実行する。
【００５０】
まず、照射ユニット１７〜１９の切換指示が入力されたか否かが判断される（Ｓ１）。切換指示は、操作部３７から入力されてもよいし、外部機器からネットワーク等を介して入力されてもよい。切換指示が入力されていなければ（Ｓ１：ＮＯ）、処理はそのままＳ１６の判断へ移行する。
【００５１】
切換指示が入力されると（Ｓ１：ＹＥＳ）、切り換える照射ユニット（以後使用される照射ユニット）が非侵襲照射ユニット１７であるか否かが判断される（Ｓ２）。切り換える照射ユニットが非侵襲照射ユニット１７であれば（Ｓ２：ＹＥＳ）、カップラー１２に接続される照射ユニットが、ユニット切換スイッチ２０によって非侵襲照射ユニット１７に切り換えられる（Ｓ３）。カップラー１２に接続される参照光学系が、参照光経路切換スイッチ１５によって非侵襲用参照光学系１３に切り換えられる（Ｓ４）。さらに、カップラー１２に接続される検出器が、検出切換スイッチ２４によって非侵襲用検出器２２に切り換えられる（Ｓ５）。処理はＳ１６の判断に移行する。
【００５２】
切り換える照射ユニットが非侵襲照射ユニット１７でなければ（Ｓ２：ＮＯ）、第一挿入型照射ユニット１８であるか否かが判断される（Ｓ７）。切り換える照射ユニットが第一挿入型照射ユニット１８であれば（Ｓ７：ＹＥＳ）、カップラー１２に接続される照射ユニットが、ユニット切換スイッチ２０によって第一挿入型照射ユニット１８に切り換えられる（Ｓ８）。カップラー１２に接続される参照光学系が、参照光経路切換スイッチ１５によって挿入時用参照光学系１４に切り換えられる（Ｓ９）。カップラー１２に接続される検出器が、検出切換スイッチ２４によって挿入時用検出器２３に切り換えられる（Ｓ１０）。処理はＳ１６の判断に移行する。
【００５３】
切り換える照射ユニットが、非侵襲照射ユニット１７および第一挿入型照射ユニット１８のいずれでもなければ（Ｓ７：ＮＯ）、切り換える照射ユニットは第二挿入型照射ユニット１９である。この場合、カップラー１２に接続される照射ユニットが、ユニット切換スイッチ２０によって第二挿入型照射ユニット１９に切り換えられる（Ｓ１２）。カップラー１２に接続される参照光学系が、参照光経路切換スイッチ１５によって挿入時用参照光学系１４に切り換えられる（Ｓ１３）。カップラー１２に接続される検出器が、検出切換スイッチ２４によって挿入時用検出器２３に切り換えられる（Ｓ１４）。処理はＳ１６の判断に移行する。
【００５４】
次いで、断層画像の撮影の開始指示が入力されたか否かが判断される（Ｓ１６）。撮影の開始指示が入力されていなければ（Ｓ１６：ＮＯ）、処理はそのままＳ１の判断へ戻る。操作部３７等から撮影の開始指示が入力されると（Ｓ１６：ＹＥＳ）、測定光源１１等が制御されて断層画像の撮影が開始されると共に、手術顕微鏡３８（図１参照）または観察光学系４７（図２参照）から、撮影された正面画像が取得される。また、使用されている照射ユニットに応じて、検出器２２，２３によって検出された干渉信号が処理される（Ｓ１７）。詳細には、ＣＰＵ３１は、検出された干渉信号に対し、フーリエ変換等の公知のスペクトル解析処理を行うことで、測定光が照射された部位の深さ方向の情報（深さ方向における振動強度分布）を取得する。ＣＰＵ３１は、測定光を走査しながら深さ方向の情報を取得することで、二次元の断層画像を取得する。以上の干渉信号の処理を、使用されている照射ユニットに応じて行うことで、より適切に断層画像が取得される。処理はＳ１の判断へ戻る。なお、取得された断層画像のデータは不揮発性メモリ３４に記憶される。光断層像撮影装置１の電源がオフとされると、メイン処理は終了する。
【００５５】
図６を参照して、本実施形態における断層画像の表示部３６への表示態様について説明する。図６に示すように、ＣＰＵ３１は、断層画像表示画面９０において、非侵襲照射ユニット１７によって撮影された非侵襲撮影画像９４と、挿入型照射ユニット１８，１９によって撮影されたプローブ挿入撮影画像９５とを並べて表示させる。詳細には、ＣＰＵ３１は、撮影した断層画像のデータを不揮発性メモリ３４に記憶させる。非侵襲照射ユニット１７によって断層画像を撮影している場合に、挿入型照射ユニット１８，１９によって撮影された同一被検物の断層画像のデータが記憶されていれば、リアルタイムで撮影している非侵襲撮影画像９４と共に、記憶されているプローブ挿入撮影画像９５を並べて表示させる。また、挿入型照射ユニット１８，１９によって断層画像を撮影している場合に、非侵襲照射ユニット１７によって撮影された同一被検物の断層画像のデータが記憶されていれば、リアルタイムで撮影しているプローブ挿入撮影画像９５と共に、記憶されている非侵襲撮影画像９４を並べて表示させる。また、撮影が終了した場合に、不揮発性メモリ３４に記憶されている非侵襲撮影画像９４とプローブ挿入撮影画像９５を並べて表示させることができる。よって、作業者は、異なる照射ユニットによる撮影を簡易な作業で行うと共に、撮影された複数の断層画像を比較して有効な診断または治療を行うことができる。なお、光断層像撮影装置１は、第一挿入型照射ユニット１８によって撮影された画像と、第二挿入型照射ユニット１９によって撮影された画像とを別々に表示させることも可能である。
【００５６】
また、本実施形態では、被検物（例えば眼底Ｅｆ）の正面画像９１も表示部３６に表示される。ＣＰＵ３１は、観察光学系４７によって撮影された正面画像９１を表示させる場合、非侵襲撮影画像９４が撮影された際の測定光の照射位置（走査位置）を、正面画像９１に重畳表示させる。また、手術顕微鏡３８によって撮影された正面画像９１には、プローブ挿入撮影画像９５が撮影された際の測定光の照射位置（つまり、測定光と同軸で照射されるエイミング光の走査位置）が含まれている。従って、作業者は、断層画像が撮影された被検物上の位置を的確に把握することができる。
【００５７】
なお、ＣＰＵ３１は、観察光学系４７によって撮影された正面画像９１と、手術顕微鏡３８によって撮影された正面画像９１の位置あわせを行うことができる。位置あわせは、例えば、２つの正面画像９１に対して公知の画像処理を行うことで、各画像の特徴点を抽出し、抽出した特徴点の位置、角度、および大きさが一致するように、２つの正面画像９１の少なくとも一方の位置、角度、および大きさを調整することで行えばよい。以上の位置あわせを行うことで、非侵襲撮影画像９４の撮影位置と、プローブ挿入撮影画像９５の撮影位置とを、同一の正面画像９１上で表示することができる状態となる。次いで、ＣＰＵ３１は、観察光学系４７によって撮影された正面画像９１、および、手術顕微鏡３８によって撮影された正面画像９１の一方を、表示部３６に表示させる。リアルタイムで撮影されている正面画像９１を表示部３６に表示させることがより望ましいが、記憶されている正面画像９１を表示させることも可能である。ＣＰＵ３１は、表示させた１つの正面画像９１上に、非侵襲撮影画像９４の撮影位置と、プローブ挿入撮影画像９５の撮影位置とを共に表示させる。従って、作業者は、異なる照射ユニットで撮影された断層画像９４，９５と、各断層画像９４，９５が撮影された被検物上の位置とを、断層画像表示画面９０によって容易に把握することができる。
【００５８】
以上説明したように、本実施形態の光断層像撮影装置１は、測定光源１１から出射された光束を導波する照射ユニット１７〜１９を、ユニット切換スイッチ２０によって切り換える。従って、光断層像撮影装置１は、１つの測定光源１１から出射される測定光を用いて、複数の態様で断層画像を取得することができる。作業者は、装置を切り換えたり、プローブを取り替えたりすることなく、複数の態様で断層画像を得ることができる。特に、本実施形態では、非侵襲照射ユニット１７と、挿入型照射ユニット１８，１９とを切り換えることができる。この場合、作業者は、２台の装置を準備する等の手間を要することなく、診断時に用いられる機会が多い非侵襲型の撮影と、治療時に用いられる機会が多い挿入型の撮影とを、容易に光断層像撮影装置１に実行させることができる。
【００５９】
本実施形態の光断層像撮影装置１は、照射ユニット１７〜１９の各々によって取得された複数の断層画像の２以上を、表示部３６に並べて表示させる。従って、作業者は、異なる照射ユニット１７〜１９による撮影を簡易な作業で行うと共に、撮影された複数種類の断層画像を比較して有効な診断または治療を行うことができる。
【００６０】
本実施形態におけるユニット切換スイッチ２０は、測定光源１１から出射された光束の経路を変更する光スイッチである。この場合、光断層像撮影装置１は、使用する照射ユニット１７〜１９を簡易な構成で切り換えることができる。
【００６１】
本実施形態の光断層像撮影装置１は、参照光の複数の経路のうち、カップラー１２によって分割された参照光を導波する経路を切り換える参照光経路切換スイッチ１５を備える。この場合、光断層像撮影装置１は、参照光の光路長を、使用する照射ユニットに適した光路長に容易に切り換えることができる。
【００６２】
本実施形態の光断層像撮影装置１は、干渉信号を検出する複数の検出器のうち、カップラー１２によって生成された干渉光を入射させる検出器を切り換える検出切換スイッチ２４を備える。この場合、光断層像撮影装置１は、使用する照射ユニットに適した検出器を用いて干渉信号を検出することができる。
【００６３】
＜第二実施形態＞
次に、図７および図８を参照して、第二実施形態を説明する。第二実施形態の説明において、第一実施形態と同様の構成には、同一の符号を付して説明を省略する。第一実施形態と同様に、第二実施形態に係る光断層像撮影装置１００（医療用観察装置１００）は、被検体内部に挿入されるプローブから照射される測定光の反射光と参照光との干渉信号に基づいて生成される被検体組織の断層画像（プローブ挿入撮影画像９５）、およびプローブとは別体の筐体を持ち、光断層像撮影装置１００とは異なるモダリティの医療用画像機器を用いて撮影された被検体の観察画像（例えば、正面画像９１）を含む少なくとも２種類の画像を、統合的に表示部に表示する。医療用画像機器は、例えば、被検体に観察光を照射し、被検体から反射された観察光を受光する光検出器を備え、被検眼内部の観察画像を光検出器を用いて撮像するための観察光学系を備える構成を持つ。医療用画像機器は被検体の外部から被検体の内部の組織に向けて観察光を照射する装置であってもよいし、また、例えば内視鏡のように、被検体の内部から観察光を照射する装置であってもよい。医療用画像機器としては、光断層像撮影装置１００によるプローブ挿入撮影と並行して（同時に）撮影が可能な作業中観察装置（例えば、手術顕微鏡および内視鏡の何れか等）であることが好ましい。しかし、必ずしもこれに限定されるものではなく、プローブ挿入撮影と並行した撮影することが想定されていない観察装置（例えば、眼底カメラ、走査型レーザ検眼鏡、およびスリットランプ等）が用いられてもよい。また、手術顕微鏡の筐体に設置されたＯＣＴを用いて撮影された画像を、観察画像として利用してもよい。以下の説明では、光断層像撮影装置１００とは異なるモダリティの医療用画像機器として、第一実施形態と同様に手術顕微鏡を例示して説明する。第二実施形態において、光断層像撮影装置１００は、術者等の作業者によって観察されることを想定した第一表示部と、第一表示部とは別体であって、作業者以外によって観察されることを想定した第二表示部とのそれぞれに断層画像表示画面を表示させる。
【００６４】
図７を参照して、光断層像撮影装置１００の概略構成について説明する。光断層像撮影装置１００は、少なくともプローブ型ＯＣＴの構成を持つ測定部１１０を有している。本実施形態において、測定部１１０は、第一実施形態における測定光源１１、カップラー１２、挿入時用参照光学系１４、挿入型照射ユニット１８，１９（の少なくとも一方）、および、挿入時用検出器２３を、少なくとも有する（図１参照）。
【００６５】
第二実施形態において、操作部３７は、作業者側操作部３７ａと、補助者側操作部３７ｂとを含む。ところで、作業者が装置の操作の全てを行うことは困難な場合がある。例えば、手術等の場面では、作業者がデバイスに直接手で触れて指示を入力することは、衛生上好ましくない。この場合、直接手で触れる操作デバイスについては、ナース等の補助者によって装置の動作に関する操作（プローブ挿入撮影画像９５の撮影に関する操作）の一部または全部が行われることが考えられる。作業者側操作部３７ａとしては、作業者によって把持されるハンドピース等に設けるスイッチ等のほか、手で触れずに指示を入力するデバイスが用いられてもよい。例えば、フットスイッチ、音声入力デバイス、およびモーションセンサー等の少なくともいずれかが、作業者側操作部３７ａとして用いられてもよい。一方、補助者側操作部３７ｂとしては、プローブとは別体であって、手で直接触れて指示を入力するデバイス（例えば、マウス、ジョイスティック、キーボード、タッチパネル等）が用いられてもよい。補助者側操作部３７ｂは、必ずしも滅菌されていなくてもよい。本実施形態では、ＰＣの操作に用いるマウス等のデバイスが、補助者側操作部３７ｂとして用いられる。
【００６６】
第二実施形態において、表示部３６は、互いに別体のデバイスである作業者側表示部３６ａと補助者側表示部３６ｂとを含む。本実施形態では、作業者側表示部３６ａと補助者側表示部３６ｂとのそれぞれに断層画像表示画面１９１，１９２が表示される（図８参照）。作業者および補助者は、それぞれの表示部３６ａ，３６ｂに表示された断層画像表示画面１９１，１９２をそれぞれ確認することで、作業状況等を共有できる。また、作業者と、補助者との接触を避けながら作業を進めることが容易になる。なお、詳細は後述するが、本実施形態において制御部３０は、作業者側表示部３６ａと補助者側表示部３６ｂとに、異なる態様の断層画像表示画面１９１，１９２を表示させる。作業者側表示部３６ａは、例えば、光断層像撮影装置１００専用のディスプレイであってもよいし、ヘッドマウントディスプレイ等のウェアラブルデバイスであってもよいし、手術顕微鏡３８の表示部であってもよい。一方、補助者側表示部３６ｂは、作業者側表示部３６ａと別体であって、例えば、光断層像撮影装置１００専用のディスプレイであってもよいし、ＰＣのディスプレイ等であってもよい。
【００６７】
次に、図８を参照して、各表示部３６ａ，３６ｂに表示される断層画像の表示態様を説明する。第一実施形態と同様、本第二実施形態では、各表示部３６ａ，３６ｂの画面の表示制御は、制御部３０（主に、ＣＰＵ３１）によって行われる。ここでは、プローブ型ＯＣＴの検出器からの信号に基づく断層画像（プローブ挿入撮影画像９５）、および手術顕微鏡３８にて撮影される被検眼内部の観察画像（正面画像９１）の表示制御が行われる場合を例示して説明する。プローブ挿入画像９５は、第一実施形態と同様、被検体内部に挿入されるプローブの先端部から照射される測定光による被検体からの反射光と、参照光とが合成された干渉光を受光する検出器からの信号に基づいて制御部３０が取得する。なお、ファイバ５４，８１（図３参照）を連続的に回転させ、各回転毎に断層画像を生成することによって、制御部３０は、リアルタイムで撮影しているプローブ挿入撮影画像９５（ライブ画像）を取得できる。また、正面画像９１についても、第一実施形態と同様、手術顕微鏡３８から制御部３０が取得する。制御部３０は、例えば、手術顕微鏡３８にてリアルタイムに撮影している観察画像の取得を逐次行うことによって、正面画像のライブ画像を取得できる。制御部３０は、作業者側表示部３６ａの断層画像表示画面１９０において、プローブ挿入撮影画像９５と、正面画像９１とを並べて表示する（図８（ａ）参照）。また、制御部３０は、プローブ挿入撮影画像９５および正面画像９１少なくともいずれかを、リアルタイムに撮影されている画像（即ち、ライブ画像）とする表示制御を行ってもよい。なお、プローブ挿入撮影画像９５および正面画像９１の両方のライブ画像を表示する場合、制御部３０は、プローブ挿入撮影画像９５および正面画像９１を同期して表示することが好ましい。つまり、同時期に並行して撮影されたプローブ挿入撮影画像９５および正面画像９１が、同時期に並行して表示される。
【００６８】
図８（ｂ）に示すように、制御部３０は、プローブ挿入撮影画像９５と、正面画像９１とを、補助者側表示部３６ｂの断層表示画面１９１において並べて表示する。また、第二実施形態において、制御部３０は、指示受付画像１９５、および、画像インデックス１９６を、断層表示画面１９１に並べて表示する。
【００６９】
指示受付画像１９５は、補助者側操作部３７ｂへの操作に応じた指示を、ＣＰＵ３１が受け付けるために用いられる。指示受付画像１９５としては、例えば、ボタン、チェックボックス、スライダー、リストボックス、およびテキストボックス等のいずれかのコントロールが用いられてもよい。指示受付画像１９５に基づいてＣＰＵ３１が受け付ける指示は、例えば、光断層像撮影装置１の撮影動作に関する指示であってもよい。より詳細には、断層画像の観察開始および終了、撮影パラメータの調節、断層画像の取り込み（記憶）等の指示であってもよい。
【００７０】
第二実施形態において、制御部３０は、撮影時期が同じ（又は、並行して撮影された）プローブ挿入撮影画像９５と正面画像９１とを互いに対応付けた状態で、不揮発性メモリ３４に記憶する。例えば、制御部３０は、同時期に取得したプローブ挿入撮影画像９５のライブ画像と、正面画像９１のライブ画像とを、トリガ信号に基づいて互いに対応付けて不揮発性メモリ３４に取り込む（記憶する）処理を行っても良い。制御部３０は、プローブ挿入撮影画像９５の静止画像と、正面画像９１の静止画像とを対応付けて記憶しても良いし、プローブ挿入撮影画像９５の動画像と、正面画像９１の動画像とを対応付けて記憶しても良い。第二実施形態において、制御部３０は、プローブ挿入撮影画像９５のデータと、そのプローブ挿入撮影画像９５と同時期に撮影された正面画像９１のデータとに、共通の又は対応する識別情報（例えば、日時情報、ＩＤ、被検眼情報、作業者情報、撮影条件情報（例えば、ファイバの回転速度、画像のサイズ等）および、対応する画像のアドレス情報等の少なくともいずれか）を付加する。但し、画像を対応付ける方法は、これに限定されない。例えば、対応付けは、プローブ挿入撮影画像９５と正面画像９１とを一つの画像に合成することによって行われてもよい。第二実施形態において、予め不揮発性メモリ３４に記憶されているプローブ挿入撮影画像９５を表示する場合に、その画像９５に対して予め対応付けられた正面画像９１が存在していれば、制御部３０は、対応する２種類の画像を、表示部３６ａ，３６ｂの画面上に並べて表示する。また、予め不揮発性メモリ３４に記憶されている正面画像９１を表示する場合に、その画像９１と予め対応付けられたプローブ挿入撮影画像９５が存在していれば、制御部３０は、対応する２種類の画像を表示部３６ａ，３６ｂの画面上に並べて表示する。よって、第二実施形態の装置では、同時期に撮影されたプローブ挿入撮影画像９５と正面画像９１とを、作業の終了後に作業者等が容易に確認できる。また、第二実施形態の装置では、同時期に撮影されたプローブ挿入撮影画像９５と正面画像９１とが対応付けられて不揮発性メモリ３４に記憶される結果として、表示以外にも、例えば、両者の画像を関連付けて解析したり、管理したりするなどの際に、有利に取り扱いできる。
【００７１】
画像インデックス１９６は、過去に撮影され、不揮発性メモリ３４等に記憶（保存）されている画像を特定する情報である。本実施形態では、不揮発性メモリ３４等に記憶されている画像（例えば、正面画像９１、およびプローブ挿入撮影画像９５等）の縮小画像が画像インデックス１９６として用いられる。但し、画像インデックス１９６は、画像を特定する情報であればよく、例えば、画像のファイル名、撮影日時情報等の他の情報であってもよい。制御部３０は、画像インデックス１９６を、インデックス表示部１９７において並べて表示する。第二実施形態では、制御部３０によって対応付けられているプローブ挿入撮影画像９５と正面画像９１とには、共通の画像インデックス１９６を利用する構成であってもよい。例えば、図７には、制御部３０によって対応付けられているプローブ挿入撮影画像９５と正面画像９１との共通の画像インデックス１９６として、互いに対応するプローブ挿入撮影画像９５と正面画像９１とが隣接された縮小画像が用いられている。また、いずれかの画像インデックス１９６を指定して不揮発性メモリ３４に記憶されている画像を表示する指示を受け付けた場合、制御部３０は、画像インデックス１９６によって特定される画像を、表示部３６ａ，３６ｂに表示させる。例えば、プローブ挿入撮影画像９５および正面画像９１で共通の画像インデックス１９６が指定された場合、制御部３０は、その画像インデックス１９６によって特定されるプローブ挿入撮影画像９５および正面画像９１を表示部３６ａ，３６ｂに並べて表示する。
【００７２】
以上説明したように、第二実施形態の光断層像撮影装置１００によれば、光断層像撮影装置１００によって撮影されたプローブ挿入撮影画像９５と、光断層像撮影装置１００とは別筐体であって、光断層像撮影装置１００とはモダリティの異なる医療用画像機器を用いて撮影された被検体の画像（正面画像９１）とが、各表示部３６ａ，３６ｂにおいて並べて表示される。結果として、作業者は、断層画像が撮影された被検物上の位置を的確に把握することができる。また、プローブ挿入画像が撮影される部位の観察および診断等を、作業者等が他角的な観点から行いやすくなる。
【００７３】
また、第二実施形態の光断層画像撮影装置１００によれば、作業者側表示部３６ａおよび補助者側表示部３６ｂとで異なる態様で断層画像表示画面１９０，１９１が表示される。例えば、補助者側表示部３６ｂには、補助者側操作部３７ｂに対する操作指示を入力するための指示受付画像１９５が表示される。一方、作業者側表示部３６ａには指示受付画像１９５は表示されない。よって、作業者側表示部３６ａでは、診断および観察等を行うための画像（第二実施形態では、正面画像９１、およびプローブ挿入撮影画像９５）に作業者を注目させやすい。このように、第二実施形態の光断層画像撮影装置１００は、作業者および補助者の役割分担に応じた表示が提供される。従って、作業者および補助者が連携して作業を行いやすい。
【００７４】
＜第三実施形態＞
次に、図９から図１２を参照して、第三実施形態を説明する。但し、第三実施形態の説明において、第一実施形態と同様の構成には、同一の符号を付して説明を省略する。また、第三実施形態に係る光断層像撮影装置３００（医療用観察装置３００）は、少なくともプローブ型ＯＣＴの構成を備える測定部（図示せず）を有している（第二実施形態の測定部１１０参照）。第三実施形態に係る光断層像撮影装置３００の制御部３０は、医療用画像機器によって撮影される被検体内部の正面画像（第一画像４０１）を取得する。また、制御部３０は、測定部に接続されたプローブ先端部からの測定光を照射する被検体の組織上の目標位置を、表示部３６に表示される被検体内部の第一画像４０１上に示す（図９参照）。結果、作業者等は、撮影の目標位置を第一画像４０１上で容易に把握できるので、断層画像の撮影を行いやすい。また、同一の撮影位置を、異なる作業者が撮影する場合に、作業者毎の撮影位置のずれが抑制されやすい。
【００７５】
第三実施形態において、画像上に目標位置が示される第一画像４０１は、光断層像撮影装置３００によるプローブ挿入撮影と並行して（同時に）撮影が可能な作業中観察装置（例えば、手術顕微鏡および内視鏡の何れか等）によって撮影された画像であってもよいし、それ以外の眼科観察装置（例えば、眼底カメラ、走査型レーザ検眼鏡、光断層干渉計、およびスリットランプの何れか等）によって事前に撮影された画像であってもよい。第一画像４０１が作業中観察装置によって撮影される場合、リアルタイムで撮影されるライブ画像が第一画像４０１として用いられてもよい。プローブの先端部から出射されるエイミング光の照射位置と、目標位置との位置関係が第一画像４０１上で確認できるので、作業者はより適正にプローブ挿入画像９５の撮影を行うことができる。なお、第一画像４０１は、必ずしもライブ画像に限定されるものではなく、静止画像であってもよい。
【００７６】
目標位置は、第一画像４０１における目標位置上に合成（重畳）された目標位置グラフィック４０３によって示されてもよい（図９参照）。目標位置グラフィック４０３は、過去に断層画像が撮影された際の測定光の照射位置（走査位置）に形成される点や線などの図形であっても良い。この場合、制御部３０は、目標位置グラフィック４０３を、手術顕微鏡３８等によって撮影される被検眼の範囲において光干渉断層計（本実施形態では、測定部１０）の測定光を走査する目標位置に関する情報（目標位置情報）に基づいて生成する。目標位置情報は、作業者等に指示された任意の目標位置を示した位置情報であってもよいし、過去に撮影された断層画像の撮影位置を示した位置情報であってもよい。目標位置情報は、例えば、過去に撮影された被検眼内部の正面画像（以下、「第二画像」と称す）を解析することによって求められてもよい。第二画像は、画像中に光干渉断層計の測定光の走査位置（例えば、スキャンポイント、スキャンライン等）が示された被検眼内部の正面画像である（図９参照）。第二画像は、手術顕微鏡等の作業中観察装置によって撮影された画像であってもよいし、例えば、眼底カメラ、走査レーザ検眼鏡、及びスリットランプ等の他の観察装置によって撮影された画像であってもよい。なお、第二画像は、例えば、不揮発性メモリ３４等の記憶部に予め記憶されていてもよい。なお、本実施形態では詳細な説明は省略するが、撮影時期の異なる第二画像が複数存在する場合には、例えば、作業者または補助者からの指示に応じて解析される画像が選択されてもよい。
【００７７】
第二画像における走査位置は、実際に過去に断層画像が撮影されたときの走査位置であってもよいし、作業者等が任意に設定した走査位置であってもよい。第二画像における走査位置は、例えば、画像処理によって走査位置上に合成された線や点等のグラフィックによって示されたものでもよい。また、第二画像における走査位置は、過去に断層画像を撮影したときのエイミング光の反射像Ｒａによって示されてもよい（図１０参照）。目標位置グラフィック４０３によって、過去に断層画像を撮影したときの測定光の走査位置が示される場合、作業者等は、過去の撮影と同じ位置でプローブ挿入画像を撮影しやすい。従って、本実施例の観察装置１によって表示される画像に基づいて、作業者等は、経過観察に適した画像を容易に撮影できる。
【００７８】
なお、目標位置グラフィック４０３は、プローブ型ＯＣＴ装置（本実施形態では、測定部１０）から出射されるエイミング光とは異なる色で表示してもよい。例えば、赤色のエイミング光に対して緑色の目標位置グラフィック４０３が表示されてもよい。勿論、色の組み合わせはこれに限定されるものではない。
【００７９】
また、第一画像４０１には、被検眼Ｅに挿入されたプローブから照射される測定光の被検体での反射光、および参照光による干渉信号の検出結果に基づいて生成される断層画像（即ち、プローブ挿入撮影画像９５）の撮影位置が示されてもよい。プローブ挿入撮影画像９５の撮影位置は、例えば、第一実施形態にて前述したように、プローブの先端部から被検体の組織上に照射されたエイミング光の反射像によって示されてもよい。また、撮影位置は、画像処理によって第一画像４０１に合成された線や点等のグラフィック（実撮影位置グラフィック４０４）によって示されてもよい（図９参照）。実撮影位置グラフィック４０４は、例えば、プローブ挿入撮影画像９５の撮影中に作業中観察装置によって撮影された１枚または複数枚の第一画像４０１を解析することによって得られるプローブ挿入撮影画像９５の実撮影位置情報（例えば、測定光の照射位置情報）に基づいて生成される。実撮影位置情報は、例えば、１枚または複数枚の第一画像４０１に含まれるエイミング光の反射像の位置情報である。目標位置グラフィック４０３と共に実走査位置グラフィック４０４が第一画像４０１に合成表示されることによって、例えば、作業者は、実際に目標位置を撮影できたか（できているか）否かを容易に把握できる。結果として、作業者は、作業の途中でも適正に断層画像が撮影されているか否かを評価できる。
【００８０】
また、制御部３０は、プローブ挿入撮影画像９５の撮影位置を、第一画像４０１のライブ画像から解析すると共に撮影位置と目標位置とを、目標位置情報と実撮影位置情報とに基づいて比較する。比較の結果、撮影位置が目標位置に対して所定の範囲内にある場合には、その旨の報知を、報知部（例えば、表示部３６）を介して行うようにしてもよい。報知は、表示部３６への表示の他、図示しないスピーカからの放音、バイブレータの振動等のいずれかによって行われても良い。
【００８１】
また、制御部３０は、目標位置に沿う断層面が撮影された過去の断層画像と並行して（換言すれば同期間に）撮影された第二画像を用いて断層画像の撮影条件を解析し、解析した撮影条件をプローブ挿入撮影画像９５の撮影に利用してもよい。例えば、制御部３０は、解析された撮影条件と同じ条件を用いてプローブ挿入撮影画像９５を撮影する。ここで、制御部３０は、時間的に連続する複数の第二画像に含まれるエイミング光の反射像の軌跡から、ファイバの回転速度（又はスキャンポイント数）、断層画像の加算枚数等の撮影条件を解析してもよい。加算枚数は、例えば、エイミング光の走査回数から得ることができる。
【００８２】
また、制御部３０は、過去の撮影において目標位置に沿う断層面が撮影された断層画像（第二断層画像４０２）を、表示部３６の画面上に表示しても良い（図９参照）。第二断層画像４０２は、光断層像撮影装置３００によって過去に撮影された断層画像であってもよいし、光断層像撮影装置３００とは別体のＯＣＴ装置で撮影された断層画像であってもよい。作業中に撮影された断層画像と、目標位置に沿って予め撮影された第二断層画像４０２とが並べて表示されることによって、観察および診断等を作業者等が容易に行うことができる。
【００８３】
次に、図１１を参照して、第三実施形態係る光断層像撮影装置３００の一実施例を示す。本実施系において、光断層像撮影装置３００のＣＰＵ３１は、不揮発性メモリ３４に記憶された制御プログラムに従って、図１１に示すメイン処理を実行する。
【００８４】
はじめに、ＣＰＵ３１は、断層画像表示画面（図９参照）において、第一画像４０１およびプローブ挿入撮影画像９５のライブ画像の撮影および表示を行うか否かを判断する（Ｓ２１）。ライブ画像の表示を行う場合（Ｓ２１：Ｙｅｓ）、ＣＰＵ２１は、Ｓ２２の処理を実行する。一方、ライブ画像の表示を行わない場合（Ｓ２１：Ｎｏ）、本実施例では、予め不揮発性メモリ３４に記憶された第一画像４０１およびプローブ挿入撮影画像９５を、静止画像として表示する。この場合、ＣＰＵ３１は、Ｓ２６以降の処理を実行する。
【００８５】
Ｓ２２の処理において、ＣＰＵ３１は、手術顕微鏡３８によって撮影されるライブ画像を、第一画像４０１として取得する（Ｓ２２）。ＣＰＵ３１は、取得された第一画像４０１を不揮発性メモリ３４に記憶する。
【００８６】
次に、ＣＰＵ３１は、目標位置情報取得処理（Ｓ２３）を実行することによって、目標位置情報を取得する。目標位置情報は、予め不揮発性メモリ３４にデータが記憶されている第二画像をＣＰＵ３１が解析することによって得られる。また、Ｓ２３の処理は、連続して撮影された複数枚の第二画像にまたがって示された走査位置を解析する。但し、走査位置の全体を示すのに十分な数の第二画像が用いられればよく、必ずしも複数枚の第二画像が解析されなくてもよい。
【００８７】
ここで、図１２を参照して、本実施形態における目標位置情報取得処理（Ｓ２３）を詳細に説明する。はじめに、ＣＰＵ３１は、目標位置情報が既に取得されているか否かを判定する（Ｓ４１）。後述するＳ４２〜Ｓ４４の処理によって、目標位置情報が既に取得されていれば（Ｓ４１：Ｙｅｓ）、ＣＰＵ３１は、Ｓ４の処理を終了して、Ｓ５の処理を実行する。一方、目標位置情報が取得されていないと判定された場合（Ｓ４１：Ｎｏ）、ＣＰＵ３１は、第二画像を記憶部（例えば、不揮発性メモリ３４）から読み出す（Ｓ４２）。本実施例では、断層画像が撮影されている間に続けて撮影された複数の第二画像を、Ｓ４２の処理によって取得する。
【００８８】
次に、ＣＰＵ３１は、Ｓ４２の処理にて取得された第二画像を解析することによって、過去に断層画像が撮影されたときの測定光の走査位置を解析する（Ｓ４３）。例えば、本実施形態では、複数の第二画像を位置あわせしたときに示されるエイミング光の反射像Ｒａの軌跡によって、過去に断層画像が撮影されたときの測定光の走査位置を求める。なお、測定光の走査位置は、反射像Ｒａを直線補間する等の手法によって近似的に求めてもよい。Ｓ４３の処理によって得られた走査位置に関する情報（走査位置情報）は、目標位置情報として不揮発性メモリ３４等の記憶部に記憶される（Ｓ４４）。結果として、目標位置情報が取得される。なお、走査位置情報は、例えば、基準となる１枚の第二画像上における走査位置を示す情報（例えば、座標データ等）であってもよいし、走査位置を血管、視神経乳頭、および黄斑等の特徴点に対して相対的に示す情報であってもよい。なお、特徴点は、作業者等によって指定された画像上の任意の部位であってもよい。目標位置情報が取得された後、Ｓ２３の処理は終了し、次に、Ｓ２４の処理が実行される。
【００８９】
Ｓ２４の処理において、ＣＰＵ３１は、プローブ挿入撮影画像９５（断層画像）のライブ画像を取得する。Ｓ２４の処理では、プローブの先端部から照射される測定光の被検体からの反射光と、参照光との干渉信号に基づいて断層画像が生成される。Ｓ２４の処理において、ＣＰＵ３１は、測定光とエイミング光との照射および走査を制御する。また、断層画像の撮影動作を、作業者からの指示に応じて制御する。本実施形態では、測定光とエイミング光との照射および走査の開始と、終了とが、作業者等からの指示に応じて制御される。また、測定光およびエイミング光の走査が行われている状態において、断層画像の撮影の開始（干渉信号の取得開始）と、終了とが、作業者等からの指示に応じて制御される。なお、フローチャートによる詳細な図示は省略するが、本実施例では、Ｓ２４の処理が１回実行される毎に、一定数（例えば、１つ）のスキャンポイントについての干渉信号が取得される。よって、本実施形態では、プローブ挿入撮影画像９５（Ｂスキャン画像）は、Ｓ２４の処理が繰り返し実行されることによって得られる複数のスキャンポイントについての干渉信号に基づいて生成される。また、Ｓ２４の処理は、断層画像の加算画像を生成してもよい。加算画像は、例えば、複数回の走査によって走査毎に生成される複数の断層画像を画像加算することによって生成される。本実施形態では、Ｓ２４の処理によって生成されたプローブ挿入撮影画像９５のライブ画像は、記憶部（例えば、ＲＡＭ３２、不揮発性メモリ３４等）に記憶される。
【００９０】
次に、ＣＰＵ３１は、第一表示制御処理（Ｓ２５）を実行する。第一表示制御処理（Ｓ２５）は、表示部３６に対して断層画像表示画面２９０を表示させる。本実施例では、Ｓ２２の処理によって取得される第一画像４０１のライブ画像、およびＳ２４の処理によって取得されるプローブ挿入撮影画像９５のライブ画像が、ＣＰＵ３１によって表示部３６の画面上に並べて表示される。第一画像４０１のライブ画像には、エイミング光の反射像Ｒａが写りこむので、作業者等は、第一画像４０１上で撮影位置を確認しながらプローブ挿入画像９５を撮影できる。
【００９１】
また、第一表示制御処理（Ｓ２５）では、目標位置グラフィック４０３が、目標位置情報取得処理（Ｓ２３）によって取得された目標位置情報に基づいて第一画像４０１上に合成表示される。ここでは、第一画像４０１に対する目標位置情報取得処理（Ｓ２３）にて使用された第二画像の位置あわせ利用して目標位置グラフィック４０３を合成している。位置あわせは、第一画像および第二画像のうち、少なくとも一方の位置、大きさ、および角度を調節することによって行われる。位置あわせは、各画像から抽出される特徴点を用いるものであっても良いし、画像全体の相関度合いを最大化させるものであってもよい。ＣＰＵ３１は、位置あわせ後の目標位置に対して、目標位置グラフィック４０３を合成する。その結果として、目標位置グラフィック４０３の設定位置（目標位置）でのプローブ挿入撮影画像９５の撮影が容易になる。
【００９２】
更に、本実施例の第一表示制御処理（Ｓ２５）において、ＣＰＵ３１は、目標位置グラフィック４０３によって示される目標位置上の断層面が撮影された第二断層画像４０２を、断層画像表示画面２９０に表示する。第二断層画像４０２は、例えば、プローブ撮影画像の撮影の適否を作業者等が判断する際に、判断の基準として利用できる。Ｓ２５の処理の終了後、処理はＳ２１の判断へ戻る。
【００９３】
Ｓ２１の処理に戻って説明を続ける。前述したように、ライブ画像の表示を行わないと判定された場合（Ｓ２１：Ｎｏ）は、Ｓ２６の処理が実行される。Ｓ２６の処理において、ＣＰＵ３１は、不揮発性メモリ３１に予め記憶されていたプローブ挿入撮影画像９５と、第一画像４０１と、を読み出す（Ｓ２６）。本実施例において、プローブ挿入撮影画像９５と、第一画像４０１とは、同時に（並行して）撮影されていた画像である。また、Ｓ２６の処理において読み出したプローブ挿入撮影画像９５を撮影したときの目標位置情報およびを不揮発性メモリ３４から読み出す（Ｓ２７）。
【００９４】
次に、ＣＰＵ３１は、Ｓ２６の処理で読み出した第一画像４０１を解析することによって、実操作位置情報を取得する（Ｓ２８）。本実施例において、共に表示されるプローブ撮影画像９５と並行して撮影された第一画像４０１に含まれるエイミング光の反射像Ｒａの位置情報が実走査位置情報として取得される。
【００９５】
次に、ＣＰＵ３１は、第二表示制御処理（Ｓ２９）を実行する。本実施例では、Ｓ２６の処理によって取得された第一画像４０１およびプローブ挿入撮影画像９５が、静止画像として表示部３６の画面上に並べて表示される。また、ＣＰＵ３１は、測定部１０からの測定光の軌跡を表す実走査位置グラフィック４０４を、実走査位置情報に基づいて第一画像４０１に合成表示する。結果、作業者等が、プローブ挿入撮影画像９５の撮影位置を撮影後にも確認できる。
【００９６】
また、ＣＰＵ３１は、Ｓ２７の処理で取得された目標位置情報に基づいて目標位置グラフィック４０３を、第一画像４０１に合成表示する。結果、目標位置グラフィック４０３と実走査位置グラフィック４０４との位置を比較することで、静止画像として表示されるプローブ挿入画像９５が適正な位置で撮影されたか否かを容易に把握できる。
【００９７】
また、本実施例の第二表示制御処理（Ｓ２８）において、ＣＰＵ３１は、目標位置グラフィック４０３によって示される目標位置上の断層面が撮影された第二断層画像４０２を表示する。この場合、第二断層画像４０２は、例えば、撮影範囲の経過観察に利用できる。
【００９８】
第二表示制御処理（Ｓ２８）の終了後、ＣＰＵ３１は、別の静止画像を表示する指示、又は、ライブ画像を表示する指示を受け付けたか判定する。いずれの指示も受け付けていない場合、ＣＰＵ３１は、Ｓ２９の処理を繰り返し実行する。一方、いずれかの指示を受け付けたと判定される場合は、Ｓ２１の処理に戻って、メイン処理を続ける。光断層像撮影装置３００の電源がオフとされると、メイン処理は終了する。
【００９９】
本発明は上記実施形態に限定されることはなく、様々な変形が可能であることは勿論である。上記実施形態の光断層像撮影装置１は、照射ユニット１７〜１９を切り換えるユニット切換スイッチ２０と、参照光学系１３，１４を切り換える参照光経路切換スイッチ１５と、検出器２２，２３を切り換える検出切換スイッチ２４とを備える。しかし、配置する切換スイッチの数、位置等は変更できる。例えば、複数の照射ユニットに対して共通の参照光学系および検出器を使用できる場合には、測定光源１１、参照光学系、および検出器を全て共用し、照射ユニット１７〜１９を切り換えるユニット切換スイッチ２０だけを設けてもよい。この場合、上記実施形態に比べて、共用できる構成がさらに増加し、装置構成を簡略化することができる。つまり、ユニット切換スイッチ２０、参照光経路切換スイッチ１５、および検出切換スイッチ２４のうちの１つまたは２つのみを用いることも可能である。
【０１００】
切換可能な複数の照射ユニットの数および種類を変更できることは言うまでも無い。例えば、光断層像撮影装置は、非侵襲照射ユニット１７を備えずに、複数の挿入型照射ユニットを切り換えるのみでもよい。同一の種類の照射ユニットを切り換える場合にも、本発明は適用できる。また、光干渉断層計の構成の一部が手術顕微鏡３８に搭載された手術顕微鏡型のＯＣＴ照射ユニット等、他の種類の照射ユニットが、切換可能な照射ユニットに含まれていてもよい。
【０１０１】
上記実施形態では、照射ユニット１７〜１９、参照光学系１３，１４、および検出器２２，２３を切り換えるスイッチは、全て光スイッチである。しかし、光スイッチ以外の構成で光路を切り換えることも可能である。例えば、光断層像撮影装置は、光ファイバをアクチュエータで移動させることで光路を切り換えてもよい。
【０１０２】
上記実施形態のユニット切換スイッチ２０は、カップラー１２によって分割された測定光の導波先を切り換える。しかし、測定光源１１が出射した光を分割する分割手段が、各照射ユニット１７〜１９に設けられている場合には、分割される前の光の導波先をユニット切換スイッチ２０によって切り換えてもよい。
【０１０３】
上記実施形態では、異なる照射ユニットによって撮影された複数の断層画像を、１つの表示部３６に並べて表示させる。従って、作業者は、複数の断層画像を比較して有効な診断または治療を行うことができる。しかし、光断層像撮影装置１は、複数の断層画像を別々に表示させてもよい。また、複数の断層画像を並べて表示させる場合、１つの表示部３６に表示させずに、複数の表示部の各々に並べて表示させることも可能である。
【０１０４】
また、上記第二実施形態では、作業者側表示部３６ａの断層画像表示画面９０には、プローブ挿入撮影画像９５と共に正面画像９１が表示される場合について説明したが、必ずしもこれに限定されるものではない。例えば、制御部３０は、作業者側表示部３６ａにおいて、必ずしも正面画像９１を表示しなくても良い。例えば、手術顕微鏡等の表示部に正面画像が表示される場合は、作業者側表示部３６ａにてプローブ挿入撮影画像９５が表示されるだけであってもよい。
【０１０５】
上記各実施形態において、制御部３０は、被検体内部の正面画像を撮影可能な医療用画像機器によって事前に撮影された被検体内部の血管造影画像を取得してもよい。また、制御部３０は、被検体内部の血管造影画像を、制御部３０によって取得される被検体のプローブ挿入撮影画像のライブ画像と並べて表示部の画面上に表示してもよい。例えば、プローブＯＣＴによって断層画像が撮影される際に、被検体の外部から被検体内部の組織に向けて照射され、被検体の組織で反射された観察光に基づく観察手法（例えば、手術顕微鏡で観察する手法、又は、目視で観察する手法）では、断層画像の撮影位置を作業者等が把握し難い場合がある。例えば、白内障眼では、水晶体の混濁によって眼底の良好な観察が妨げられる場合が考えられる。これに対し、被検体内部の血管造影画像には、被検体の組織で反射された観察光に基づく観察では見ること難しい遮蔽部分（例えば、水晶体の混濁部分）の血管が撮影されている場合がる。このため、被検体内部の血管造影画像が表示されることによって、手術顕微鏡又は目視で観察しにくい箇所の情報を、血管造影画像の情報によって補うことができる場合がある。その結果、作業者等が、プローブＯＣＴによる断層画像の撮影位置を把握しやすくなる。
【符号の説明】
【０１０６】
１      光断層像撮影装置
１０    測定部
２３    挿入時用検出器
３０    制御部
３１    ＣＰＵ
３４    不揮発性メモリ
３６    表示部
３８    手術顕微鏡
５３，８０    プローブ
４０１    第一画像
４０３    目標位置グラフィック
４０４    実走査位置グラフィック
Ｒａ      エイミング光の反射像
【図１】
2014207976.tif 000003
【図２】
2014207976.tif 000004
【図３】
2014207976.tif 000005
【図４】
2014207976.tif 000006
【図５】
2014207976.tif 000007
【図６】
2014207976.tif 000008
【図７】
2014207976.tif 000009
【図８】
2014207976.tif 000010
【図９】
2014207976.tif 000011
【図１０】
2014207976.tif 000012
【図１１】
2014207976.tif 000013
【図１２】
2014207976.tif 000014